(57)【特許請求の範囲】
【請求項１】
複数のデジタル機器がインターフェースバスを介してネットワーク接続されることにより、各デジタル機器間での双方向の通信を可能とされ、前記ネットワーク接続の際に各デジタル機器の接続状態を自動的に認識する通信手段と、各機器自身（自機という）を動作させる動作指令及び他の機器に割り当てられたＩＤ情報を添付して該当する機器を動作させる動作指令を出力する出力制御手段とを備え、自機に装填されたテープを再生して、前記インターフェースバスを介して接続されたビデオ録画装置（相手機という）に装填されたテープにダビングさせるネットワークシステム対応のデジタルビデオ再生／録画装置において、
相手機とネットワーク接続され、その接続のためのインターフェースバスは、ＩＥＥＥ１３９４シリアルバスであり、
前記ダビングを実行させるダビング指令と共に、ダビング時における自機の再生時間を入力するための操作キーを備え、
前記出力制御手段は、ユーザにより、前記ダビング指令が入力されたとき、相手機のテープ残量を問い合わせるための信号を前記通信手段を介して出力し、この信号に対する返答から相手機のテープ残量を検知し、このテープ残量が前記操作キーによって入力された再生時間より大きいときには、録画可能と判断し、相手機に対して録画指令を出力し、該相手機から録画開始動作の完了の通知を受けた後に自機の再生を開始し、ダビングを行うことにより、相手機の録画動作が常に先行して行われるようにし、他方、テープ残量が再生時間より少ないときダビング不可の旨のメッセージを表示することを特徴とするネットワークシステム対応のデジタルビデオ再生／録画装置。
【請求項２】
複数のデジタル機器がインターフェースバスを介してネットワーク接続されることにより、各デジタル機器間での双方向の通信を可能とされ、前記ネットワーク接続の際に各デジタル機器の接続状態を自動的に認識する通信手段と、各機器自身（自機という）を動作させる動作指令及び他の機器に割り当てられたＩＤ情報を添付して該当する機器を動作させる動作指令を出力する出力制御手段とを備え、前記インターフェースバスを介して接続されたビデオ録画装置（相手機という）に装填されたテープを再生させて、自機に装填されたテープにダビングするネットワークシステム対応のデジタルビデオ再生／録画装置において、
相手機とネットワーク接続され、その接続のためのインターフェースバスは、ＩＥＥＥ１３９４シリアルバスであり、
前記ダビングを実行させるダビング指令と共に、ダビング時における相手機の再生時間を入力するための操作キーを備え、
前記出力制御手段は、ユーザにより、前記ダビング指令が入力されたとき、自機のテープ残量を検出し、このテープ残量が前記操作キーによって入力された再生時間より大きいときには、録画可能と判断し、自機の録画を開始し、その後、相手機に対して再生指令を出力し、相手機から再生動作の完了通知を受信することにより相手機の再生動作を確認してからダビングを行い、他方、テープ残量が再生時間より少ないときダビング不可の旨のメッセージを表示することを特徴とするネットワークシステム対応のデジタルビデオ再生／録画装置。
【発明の詳細な説明】
【０００１】
【発明の属する技術分野】
本発明は、自機に装填されたテープを再生してＩＥＥＥ１３９４シリアルバスケーブルによって接続されたＤＶＨＳビデオデッキ（相手機という）に装填されたテープにダビングさせ、又は、相手機に装填されたテープを再生させて自機に装填されたテープにダビングするビデオ再生／録画装置に関するものである。
【０００２】
【従来の技術】
従来より、相手機のテープを再生し、自機のテープにダビングする録音装置が知られており、これらは、ユーザの使い勝手の向上を図るため、様々な工夫がなされている。一例を挙げれば、ＣＤプレーヤの再生した音声をアナログカセットテープにダビングするダビング装置において、ユーザがテープ片面の記録時間を入力し、ダビング時間がこの入力された記録時間に近づくと、すなわちテープ片面の終端が接近すると、録音信号のレベルを次第に減衰させてフェードアウト録音を行うものが知られている（例えば、特許２７５２０６５号公報参照）。また同様に、ダビング時にテープの片面の終端に近づき、テープ終端信号を検出すると、録音信号のレベルを次第に減衰させてフェードアウト録音し、その後、テープを反転させ、上記終端部分においてダビング途中であった曲を曲頭から再度ダビングさせるようにしたダビング装置が知られている（例えば、特公平６−９７４８５号公報参照）。
【０００３】
【発明が解決しようとする課題】
このような、ダビング装置をＤＶＨＳビデオデッキに適用して、相手機にて再生させた映像を自機にダビングすることは可能であり、この際、上述のように、自機に装填したテープの終端付近からフェードアウト録画を行うこともできる。しかしながら、自機のテープの終端でダビングの途中切れが起こり、その後の映像についてはダビングすることができない。特に、ユーザがその場から離れ、自動でダビングを行う場合は、ダビングが不完全であることに気が付かないので、不便である。また、ＤＶＨＳビデオデッキに適用されるテープは片面記録であるので、後者のダビング装置のように、テープ終端においてテープを反転させて記録することもできない。
【０００４】
本発明は、上述した問題点を解決するためになされたものであり、インターフェースバスを介してネットワーク接続された機器の中から、録画側の機器に装填されたテープの残量に応じてダビング動作を制御することにより、ダビングの途中切れを回避するようにしたビデオ再生／録画装置を提供することを目的とする。
【０００５】
【課題を解決するための手段】
上記目的を達成するために請求項１の発明は、複数のデジタル機器がインターフェースバスを介してネットワーク接続されることにより、各デジタル機器間での双方向の通信を可能とされ、ネットワーク接続の際に各デジタル機器の接続状態を自動的に認識する通信手段と、各機器自身（自機という）を動作させる動作指令及び他の機器に割り当てられたＩＤ情報を添付して該当する機器を動作させる動作指令を出力する出力制御手段とを備え、自機に装填されたテープを再生して、インターフェースバスを介して接続されたビデオ録画装置（相手機という）に装填されたテープにダビングさせるネットワークシステム対応のデジタルビデオ再生／録画装置において、相手機とネットワーク接続され、その接続のためのインターフェースバスは、ＩＥＥＥ１３９４シリアルバスであり、ダビングを実行させるダビング指令と共に、ダビング時における自機の再生時間を入力するための操作キーを備え、出力制御手段は、ユーザにより、前記ダビング指令が入力されたとき、相手機のテープ残量を問い合わせるための信号を前記通信手段を介して出力し、この信号に対する返答から相手機のテープ残量を検知し、このテープ残量が前記操作キーによって入力された再生時間より大きいときには、録画可能と判断し、相手機に対して録画指令を出力し、該相手機から録画開始動作の完了の通知を受けた後に自機の再生を開始し、ダビングを行うことにより、相手機の録画動作が常に先行して行われるようにし、他方、テープ残量が再生時間より少ないときダビング不可の旨のメッセージを表示するものである。
【０００６】
この構成においては、自機及び相手機は双方向の通信が可能なＩＥＥＥ１３９４シリアルバスケーブルで接続され、自機から相手機に対して動作指令を出力して相手機を遠隔制御することができる。上記動作指令には、相手機のＩＤ情報を添付するものとされ、複数のデジタル機器がネットワーク接続されているときであっても、制御したい相手機を特定することができる。ユーザの操作により、操作キーからダビング指令が入力されると、出力制御手段は、まず、通信手段及びＩＥＥＥ１３９４シリアルバスケーブルを介して相手機のテープを走行等させることにより、テープ残量を問い合わせる。そして、相手機すなわち録画用のテープ残量（空き時間）と、ユーザが入力した自機すなわち再生用テープの再生時間を比較して、その結果、テープ残量が再生時間より大きいときは、録画可能と判断し、ダビングを実行させる。このダビングの際には、相手機の録画動作の開始を確認した上で自機の再生を開始することにより、相手機の録画動作が常に先行してなされるので、ダビング箇所の先頭が欠如することもない。なお、テープ残量が再生時間より少ないときは、所定のエラー表示を行うなどして、ダビングを受け付けないものとし、ダビング動作を停止させる。このようにして、テープ残量に応じてダビングの可否を判断し、ダビング可能なときのみダビングを受け付け、ダビングの途中切れを回避する。
【０００７】
また、請求項２の発明は、複数のデジタル機器がインターフェースバスを介してネットワーク接続されることにより、各デジタル機器間での双方向の通信を可能とされ、ネットワーク接続の際に各デジタル機器の接続状態を自動的に認識する通信手段と、各機器自身（自機という）を動作させる動作指令及び他の機器に割り当てられたＩＤ情報を添付して該当する機器を動作させる動作指令を出力する出力制御手段とを備え、インターフェースバスを介して接続されたビデオ録画装置（相手機という）に装填されたテープを再生させて、自機に装填されたテープにダビングするネットワークシステム対応のデジタルビデオ再生／録画装置において、相手機とネットワーク接続され、その接続のためのインターフェースバスは、ＩＥＥＥ１３９４シリアルバスであり、ダビングを実行させるダビング指令と共に、ダビング時における相手機の再生時間を入力するための操作キーを備え、出力制御手段は、ユーザにより、前記ダビング指令が入力されたとき、自機のテープ残量を検出し、このテープ残量が前記操作キーによって入力された再生時間より大きいときには、録画可能と判断し、自機の録画を開始し、その後、相手機に対して再生指令を出力し、相手機から再生動作の完了通知を受信することにより相手機の再生動作を確認してからダビングを行い、他方、テープ残量が再生時間より少ないときダビング不可の旨のメッセージを表示するものである。
【０００８】
この構成においては、自機及び相手機は双方向の通信が可能なＩＥＥＥ１３９４シリアルバスケーブルで接続され、自機から相手機に対して動作指令を出力して相手機を遠隔制御することができる。上記動作指令には、相手機のＩＤ情報を添付するものとされ、複数のデジタル機器がネットワーク接続されているときであっても、制御したい相手機を特定することができる。ユーザの操作により、操作キーからダビング指令が入力されると、出力制御手段は、まず、自機のテープを走行等させることにより、テープ残量を検出する。そして、自機すなわち録画用のテープ残量と、ユーザが入力した相手機すなわち再生用テープの再生時間を比較して、その結果、テープ残量が再生時間より大きいときは、録画可能と判断し、ダビングを実行させる。なお、テープ残量が再生時間より少ないときは、請求項１と同様に、ダビングを受け付けないものとし、ダビング動作を停止する。このようにして、テープ残量に応じてダビングの可否を判断し、ダビング可能なときのみダビングを受け付け、ダビングの途中切れを回避する。
【００１４】
【発明の実施の形態】
以下、本発明を具体化した一実施形態に係るビデオ録画装置を用いたネットワークシステムを図面を参照して説明する。図１に本発明のネットワークシステムの概略構成を示す。ネットワークシステム１は、ＤＶＨＳビデオデッキ１０，２０をＩＥＥＥ１３９４シリアルバスケーブル（以下、ＩＥＥＥ１３９４ケーブルという）２を介して接続することにより構築される。また、各ＤＶＨＳビデオデッキ１０，２０には、ＴＶモニタ１９，２９が接続されている。
【００１５】
各ＤＶＨＳビデオデッキ１０，２０はＩＥＥＥ１３９４ケーブル２によって情報信号や制御信号を双方向に伝送して通信することができ、ネットワークシステム１内の他の機器に対して制御信号を伝送すれば、他の機器を遠隔制御することができる。例えば、ＤＶＨＳビデオデッキ１０（自機となる）は、ＤＶＨＳビデオデッキ２０（相手機となる）に対して再生コマンドをＩＥＥＥ１３９４ケーブル２を介して伝送することにより、ＤＶＨＳビデオデッキ２０に装填されたテープを再生し、その映像信号をＩＥＥＥ１３９４ケーブル２を介して取得し、ＤＶＨＳビデオデッキ１０に装填したテープにダビングしたり、ＴＶモニタ１９に表示させることができる。
【００１６】
本システム１では、ＤＶＨＳビデオデッキ１０，２０をＩＥＥＥ１３９４シリアルバスを介して接続しているが、さらに、同バスに対応する各種のデジタル機器を接続し、相互間の通信を行うこともできる。このように複数のデジタル機器が接続されているような場合において、各機器を区別して認識するため、各機器には相異なるノードＩＤが付与される。このノードＩＤは、各機器の電源投入及び機器の追加・削除等のバスリセット時に、新たなＩＤとして付与される。そして、各機器間の通信は、各機器に対応するノードＩＤ毎に異なる周波数帯域の搬送波によって区別してなされている。
【００１７】
図２に本システム１に適用されるＤＶＨＳビデオデッキ１０，２０のブロック図を示す。ＤＶＨＳビデオデッキ１０は、ＩＥＥＥ１３９４ケーブル２を接続するためのポート１１ａ，１１ｂと、映像信号等のデジタル信号のエンコード／デコードを行なうＰＨＹチップ１２と、後述するノードＩＤ等のデータの判別を行なうＬＩＮＫチップ（通信手段、出力制御手段）１３と、ＤＶＨＳビデオデッキ１０全体の制御を司るＣＰＵ（出力制御手段）１４と、ノードＩＤ、マスタテープの再生時間を記憶するメモリ（記憶手段）１５と、ユーザがマスタテープの再生時間を入力するための入力キー１６とを備えている。同様に、ＤＶＨＳビデオデッキ２０は、ポート２１ａ，２１ｂ、ＰＨＹチップ２２、ＬＩＮＫチップ２３、ＣＰＵ２４、メモリ２５及び入力キー２６を備えている。ＩＥＥＥ１３９４ケーブル２の両端は、ＤＶＨＳビデオデッキ１０のポート１１ａ及びＤＶＨＳビデオデッキ２０のポート２１ａにそれぞれ接続される。なお、入力キー１６は、ダビング指令を入力するためのダビングキー（操作キー）も具備している。また、このダビングキーは、相手機によって録画させる指令を入力する相手機録画のダビングキーと、自機によって録画する指令を入力する自機録画のダビングキーが備えられている。また、入力キー１６，２６は、通常はリモコン等の入力装置に設けられているが、ＤＶＨＳビデオデッキ１０，２０の外装パネルに設けたものであってもよい。
【００１８】
さらに、本発明におけるＤＶＨＳビデオデッキ１０からのＤＶＨＳビデオデッキ２０の再生動作の制御は以下のようになされる。まず、ＣＰＵ１４から制御信号がＬＩＮＫチップ１３及びＰＨＹチップ１２を介してポート１１ａに伝送される。この制御信号には、ＤＶＨＳビデオデッキ２０に付与されたノードＩＤが添付され、ＩＥＥＥ１３９４バスケーブル２を介して、ＤＶＨＳビデオデッキ２０のポート２１ａに伝送される。ポート２１ａにより制御信号を受けたＤＶＨＳビデオデッキ２０は、その信号を、さらにＰＨＹチップ２２を介してＬＩＮＫチップ２３に伝送する。そして、ＬＩＮＫチップ２３により、制御信号に添付されたノードＩＤが自機のものであることを認識して、この信号をＣＰＵ２４に伝送する。ＣＰＵ２４は、伝送された制御信号に基いて、ＤＶＨＳビデオデッキ２０の再生動作を開始し、取得した映像信号を、上記とは逆の経路にて、ＤＶＨＳビデオデッキ１０のＣＰＵ１４に伝送する。ＣＰＵ１４では、受信した上記映像信号を装填したテープに記録したり、ＴＶモニタ１９に表示させたりする。なお、ＬＩＮＫチップ２３は、ノードＩＤが自機のものでなければ、制御信号をＰＨＹチップ２２に返還し、さらにポート２１ｂよりＩＥＥＥ１３９４ケーブルを介して接続された他の機器（図示せず）に伝送する。このように、ノードＩＤによって再生するＤＶＨＳビデオデッキ（相手機）を指定し、制御しているので、３台以上のＤＶＨＳビデオデッキをＩＥＥＥ１３９４ケーブルで接続した場合であっても、相手機を指定して、制御することができる。また、ＤＶＨＳビデオデッキ１０からＤＶＨＳビデオデッキ２０の録画動作の制御も同様になされる。
【００１９】
次に、ＤＶＨＳビデオデッキ１０を用いた自動ダビング機能について説明する。この自動ダビング機能は、ＤＶＨＳビデオデッキ１０によって、ＤＶＨＳビデオデッキ２０を上述したように遠隔制御することにより、ＤＶＨＳビデオデッキ２０に録画を実行させると共に、ＤＶＨＳビデオデッキ１０に装填されたテープを再生することにより、取得した映像信号をＤＶＨＳビデオデッキ２０に装填したテープに自動的にダビングするものである。この自動ダビングは、ユーザによるダビングキーの押下（ダビング指令）、又は予め設定した時刻にダビングを開始するタイマダビングに応じてなされる。
【００２０】
例えば、ユーザの操作により、ＤＶＨＳビデオデッキ１０の相手機録画のダビングキーが押下され、自機のテープの再生時間が入力されると、ＣＰＵ１４は、この再生時間をメモリ１５に記憶させると共に、ＩＥＥＥ１３９４ケーブル２を介しＤＶＨＳビデオデッキ２０に対して、テープ残量を問い合わせる信号を出力する。これを受けたＤＶＨＳビデオデッキ２０は、装填されたテープを走行させて、その際の巻取りリールの回転速度を検出し、その回転速度の変化よりテープ残量を算出し、それに相当する信号をＩＥＥＥ１３９４ケーブル２を介してＤＶＨＳビデオデッキ１０に返答する。ＤＶＨＳビデオデッキ１０のＣＰＵ１４は、こうして取得したＤＶＨＳビデオデッキ２０の録画用テープの残量と、メモリ１５に記憶させた再生時間とを比較して、テープ残量が再生時間より大きいときは、録画可能と判断し、ＤＶＨＳビデオデッキ２０に対して録画指令を出力し、ダビングを実行させる。一方、上記のテープ残量が再生時間より少ないときは、所定のエラー表示を行うなどして、ダビングを受け付けないものとする。このようにして、録画用テープの残量に応じてダビングの可否を判断し、ダビング可能と判断したときのみダビングを受け付けるようにしている。
【００２１】
上記ダビング時におけるＣＰＵ１４の処理手順を図３に示す。相手機録画のダビングキーが押下され、ユーザより自機の再生時間が入力されると（＃１）その再生時間をメモリ１５に記憶させる。次に、ＩＥＥＥ１３９４ケーブル２を介して相手機のテープ残量を問い合わせ（＃２）、このテープ残量と上記再生時間を比較する（＃３）。この結果、テープ残量＞再生時間であれば（＃３においてＹＥＳ）、相手機に録画コマンドを発行して（＃４）、相手機の録画を開始させる。そして、相手機から録画開始動作の完了通知を受信することにより相手機の録画動作を確認した上で（＃５）、自機の再生を開始させる（＃６）。なお、テープ残量＞再生時間でない場合は（＃３においてＮＯ）、「ダビング不可」を示す旨の所定のエラーメッセージをＴＶモニタ１９に表示させて処理を終了する。このようにして、ＤＶＨＳビデオデッキ２０に装填した録画用テープ残量が十分であり録画可能と判断されるときのみ、ダビングが実行される。また、＃２において、問い合わせる相手機のテープ残量は、上述の巻取りリールの回転速度の変化によって検出したものの他に、ＩＥＥＥ１３９４シリアルバスの規格に準拠したものであって、ＤＶＨＳビデオデッキ２０が所持しているものを用いてもよい。
【００２２】
また、本システム１では、自機録画のダビングキーを操作することにより、ＤＶＨＳビデオデッキ２０のテープを再生させて、ＤＶＨＳビデオデッキ１０のテープにダビングすることも可能である。このときの、ＣＰＵ１４の処理手順を図４に示す。自機録画のダビングキーが押下され、ユーザより相手機の再生時間が入力されるとそれをメモリ１５に記憶させ、そのメモリ１５に記憶させた再生時間を問い合わせる（＃１１）。次に、自機のテープ残量を検出し（＃１２）、このテープ残量と上記再生時間を比較する（＃１３）。この結果、テープ残量＞再生時間であれば（＃１３においてＹＥＳ）、自機の録画を開始して（＃１４）、相手機に再生コマンドを送信して（＃１５）、相手機の再生を開始させ、さらに相手機から再生開始動作の完了通知を受信することにより、相手機の再生動作を確認する（＃１６）。なお、テープ残量＞再生時間でない場合は（＃１３においてＮＯ）、「ダビング不可」を示す旨の所定のエラーメッセージをＴＶモニタ１９に表示させて処理を終了する。このようにして、ＤＶＨＳビデオデッキ１０に装填した録画用テープ残量が十分であり録画可能と判断されるときのみ、ダビングが実行される。なお、相手機の再生時間は、相手機に装填された再生用のテープを走行させ、その時の巻取りリールの回転速度の変化より再生用のテープの残量を検出し、そのテープ残量を再生時間の最大値としてとして用いるものとしてもよい。
【００２３】
以上、詳述したように、本システム１によれば、インターフェースバスを介してネットワーク接続された機器の中から、録画側の機器に装填されたテープの残量を事前に問い合わせ、そのテープ残量に応じてダビングの可否を判断し、ダビング可能なときのみダビングを受け付けているので、ダビングの途中切れを回避することができる。上記においてダビング不可と判断した場合は、ＴＶモニタ１９に所定のエラーメッセージを表示するので、これを見たユーザは、録画用のテープをより長時間録画できるものに交換したり、マスタテープの再生時間を少なくすれば、途中切れのないダビングが行える。また、図３における＃５及び図４における＃１６に示したように、ダビングの際には、相手機の動作状態を示す通知を受信しているので、それにより知得した相手機の動作状態をＴＶモニタ１９に表示させれば、ユーザは、自機のＴＶモニタ１９を見ることにより、遠隔操作している相手機の状態を確認することができる。
【００２４】
なお、本発明は上記実施形態の構成に限られることなく種々の変形が可能であり、例えば、ネットワーク接続する相手機は、複数のビデオデッキを接続してもよい。この場合は、自機からの遠隔制御により、複数のマスタテープから複数の録画用テープにダビングすることも可能であり、その際、それぞれの録画用テープについて、テープ残量を検出しダビング可能か否かの判断を行う。この場合にあっては、ダビング途中でそれぞれのテープを入れ替える必要がないので、ユーザがその場を離れていてもダビングが自動的に実行される。
【００２５】
また、ＤＶＨＳビデオデッキによっては、録画時に時間カウンタ値とコンテンツを対応付けてＴＯＣ（Ｔａｂｌｅ  Ｏｆ  Ｃｏｎｔｅｎｔｓ）情報としてテープに記録する機能を有するものもあるが、再生用テープの再生時間を問い合わせる際には、このＴＯＣ情報を参照してもよい。また、図３に示した＃５又は図４に示した＃１６における通知を受信して、相手機の動作状態を再度確認する処理は省略してもよい。
【００２６】
さらに、ＩＥＥＥ１３９４ケーブル２によってネットワーク接続するデジタル機器は、ＤＶＨＳビデオデッキに限られることなく、ハンディカム等に代表されるデジタルビデオカメラであってもよい。また、ＤＶＨＳビデオデッキ１０，２０は、ＴＶモニタ１９，２９と一体化されたものであっても構わない。
【００２７】
【発明の効果】
以上のように請求項１の発明によれば、相手機に録画動作させるとき、自機の再生を行う前に相手機に装填された録画用のテープ残量を確認し、その残量と自機の再生時間に応じてダビングの可否を判断し、ダビング可能と判断したときのみダビングを受け付け、一方、上記テープ残量が少なくダビング不可と判断したときは、所定のエラー表示を行う等して、ダビングを受け付けないようにし、ダビングを停止させるので、ダビングの途中切れを回避することができる。また、相手機の録画動作の開始を確認した上で自機の再生を開始することにより、相手機の録画動作が常に先行してなされるので、ダビング箇所の先頭部分が欠如することもない。
【００２８】
請求項２の発明によれば、自機に録画動作させるとき、自機の録画を行う前に自機に装填された録画用のテープ残量と相手機の再生時間を確認し、その残量と再生時間に応じてダビングの可否を判断し、ダビング可能と判断したときのみダビングを受け付け、一方、上記テープ残量が少なくダビング不可と判断したときは、所定のエラー表示を行う等して、ダビングを受け付けないようにし、ダビング動作を停止するので、ダビングの途中切れを回避することができる。また、相手機に対して録画指令を出力した後に自機の再生を開始することにより、相手機の録画動作が先行してなされるので、ダビング箇所の先頭部分が欠如する虞が少ない。
【図面の簡単な説明】
【図１】本発明の一実施形態によるネットワークシステムにおける各ＤＶＨＳビデオデッキの接続状態を示した図。
【図２】同システムに自機及び相手機として用いられるＤＶＨＳビデオデッキのブロック図。
【図３】同ＤＶＨＳビデオデッキの自動ダビング時における自機が再生側である場合のＣＰＵの動作手順を示したフローチャート。
【図４】同ＤＶＨＳビデオデッキの自動ダビング時における自機が録画側である場合のＣＰＵの動作手順を示したフローチャート。
【符号の説明】
１      ネットワークシステム
２      ＩＥＥＥ１３９４ケーブル
１０    ＤＶＨＳビデオデッキ（ビデオ録画装置：自機）
１３    ＬＩＮＫチップ（通信手段、出力制御手段）
１４    ＣＰＵ（出力制御手段）
１５    メモリ（記憶手段）
１６    入力キー（操作キー）
２０    ＤＶＨＳビデオデッキ（ビデオ再生装置：相手機）
【図１】
0003612703.tif 000002
【図２】
0003612703.tif 000003
【図３】
0003612703.tif 000004
【図４】
0003612703.tif 000005